(57)【要約】【課題】  複数のアンテナの配置スペースを確保した上で通信性能の向上を図る。【解決手段】  画像を表示する表示パネル３８と、該表示パネルが配置され表示パネルを表示面の反対側から覆うパネル用筐体３９と、該パネル用筐体の外周に配置され左右方向へ延びる上面部５２と該上面部の左右両端部からそれぞれ直交する方向へ突出された一対の側面部５３、５４とを有すると共に非金属性の材料によって形成された配置用枠４０と、表示パネルの外周部及び配置用枠を表示パネルの表示面側から覆うと共に非金属性の材料によって形成された外枠４１とを設け、配置用枠の上面部と一方の側面部に少なくとも一つずつの第１のアンテナ５８、５８、５８を配置し、配置用枠の上面部又は他方の側面部に少なくとも一つの第２のアンテナ５９を配置した。【選択図】        図３１
2008288801.tif 000002
【特許請求の範囲】
【請求項１】
通信方式が異なる複数の第１のアンテナと少なくとも一つの第２のアンテナを備えた電子機器であって、
画像を表示する表示パネルと、
該表示パネルが配置され表示パネルを表示面の反対側から覆うパネル用筐体と、
該パネル用筐体の外周に配置され左右方向へ延びる上面部と該上面部の左右両端部からそれぞれ直交する方向へ突出された一対の側面部とを有すると共に非金属性の材料によって形成された配置用枠と、
表示パネルの外周部及び配置用枠を表示パネルの表示面側から覆うと共に非金属性の材料によって形成された外枠とを備え、
配置用枠の上面部と一方の側面部に少なくとも一つずつの第１のアンテナを配置し、
配置用枠の上面部又は他方の側面部に少なくとも一つの第２のアンテナを配置した
ことを特徴とする電子機器。
【請求項２】
配置用枠に複数の係合部を設け、
外枠に配置用枠の複数の係合部がそれぞれ係合される複数の係合部を設け、
配置用枠の係合部と外枠の係合部との係合のみにより配置用枠と外枠を結合するようにした
ことを特徴とする請求項１に記載の電子機器。
【請求項３】
配置用枠に複数の結合用係合部を設け、
パネル用筐体に配置用枠の複数の結合用係合部がそれぞれ係合される複数の結合用係合部を設け、
配置用枠の結合用係合部とパネル用筐体の結合用係合部との係合のみにより配置用枠とパネル用筐体を結合するようにした
ことを特徴とする請求項１に記載の電子機器。
【請求項４】
第２のアンテナを配置用枠と外枠によって形成された空間に対して引出及び収納自在とした
ことを特徴とする請求項１に記載の電子機器。
【発明の詳細な説明】
【技術分野】
【０００１】
本発明は電子機器についての技術分野に関する。詳しくは、配置用枠の上面部と側面部に複数のアンテナを配置してアンテナの配置スペースを確保した上で通信性能の向上を図る技術分野に関する。
【背景技術】
【０００２】
パーソナルコンピューター、携帯電話、ＰＤＡ（Personal Digital Assistant）等の電子機器には、所定の方式で通信を行うためのアンテナが表示パネルを有する表示部の内部に配置されているものがある（例えば、特許文献１参照）。
【０００３】
このような電子機器にあっては、不要輻射の抑制や強度の向上を図るために表示パネルが配置されるパネル用筐体を金属材料によって形成する場合があるが、アンテナをパネル用筐体に配置した場合には金属材料中を伝導するノイズの影響により受信感度の低下を来たす場合がある。
【０００４】
そこで、従来は、パネル用筐体の一端部に樹脂材料によって形成されたアンテナ配置部材を取り付け、このアンテナ配置部材にアンテナを配置する方法があった。
【０００５】
【特許文献１】特開２００２−３２１５０号公報
【発明の開示】
【発明が解決しようとする課題】
【０００６】
ところが、近年、通信方式の拡張により、通信方式が異なる複数の種類のアンテナを配置する必要性が高まり、また、通信方式によっては同一の種類の複数のアンテナを配置する必要があり、表示部の内部に配置するアンテナの数が増加した。
【０００７】
従って、パネル用筐体の一端部に樹脂材料によって形成されたアンテナ配置部材を取り付けると言う上記した従来の方法では、アンテナを配置するための十分なスペースを確保することが困難となり、通信性能の低下を来たすおそれがあった。
【０００８】
そこで、本発明電子機器は、複数のアンテナの配置スペースを確保した上で通信性能の向上を図ることを課題とする。
【課題を解決するための手段】
【０００９】
本発明電子機器は、画像を表示する表示パネルと、該表示パネルが配置され表示パネルを表示面の反対側から覆うパネル用筐体と、該パネル用筐体の外周に配置され左右方向へ延びる上面部と該上面部の左右両端部からそれぞれ直交する方向へ突出された一対の側面部とを有すると共に非金属性の材料によって形成された配置用枠と、表示パネルの外周部及び配置用枠を表示パネルの表示面側から覆うと共に非金属性の材料によって形成された外枠とを設け、配置用枠の上面部と一方の側面部に少なくとも一つずつの第１のアンテナを配置し、配置用枠の上面部又は他方の側面部に少なくとも一つの第２のアンテナを配置したものである。
【００１０】
従って、本発明電子機器にあっては、配置用枠の上面部と一対の側面部に少なくとも一つずつのアンテナが配置される。
【発明の効果】
【００１１】
本発明電子機器は、通信方式が異なる複数の第１のアンテナと少なくとも一つの第２のアンテナを備えた電子機器であって、画像を表示する表示パネルと、該表示パネルが配置され表示パネルを表示面の反対側から覆うパネル用筐体と、該パネル用筐体の外周に配置され左右方向へ延びる上面部と該上面部の左右両端部からそれぞれ直交する方向へ突出された一対の側面部とを有すると共に非金属性の材料によって形成された配置用枠と、表示パネルの外周部及び配置用枠を表示パネルの表示面側から覆うと共に非金属性の材料によって形成された外枠とを備え、配置用枠の上面部と一方の側面部に少なくとも一つずつの第１のアンテナを配置し、配置用枠の上面部又は他方の側面部に少なくとも一つの第２のアンテナを配置したことを特徴とする。
【００１２】
従って、通信方式の異なる第１のアンテナと第２のアンテナを配置するための十分なスペースを確保した上で通信性能の向上を図ることができる。
【００１３】
請求項２に記載した発明にあっては、配置用枠に複数の係合部を設け、外枠に配置用枠の複数の係合部がそれぞれ係合される複数の係合部を設け、配置用枠の係合部と外枠の係合部との係合のみにより配置用枠と外枠を結合するようにしたので、配置用枠と外枠の結合に際して受信感度を低下させるおそれのある金属製の取付ネジを必要とせず、第１のアンテナ及び第２のアンテナの受信感度の向上を図ることができる。
【００１４】
請求項３に記載した発明にあっては、配置用枠に複数の結合用係合部を設け、パネル用筐体に配置用枠の複数の結合用係合部がそれぞれ係合される複数の結合用係合部を設け、配置用枠の結合用係合部とパネル用筐体の結合用係合部との係合のみにより配置用枠とパネル用筐体を結合するようにしたので、配置用枠とパネル用筐体の結合に際して受信感度を低下させるおそれのある金属製の取付ネジを必要とせず、第１のアンテナ及び第２のアンテナの受信感度の向上を図ることができる。
【００１５】
請求項４に記載した発明にあっては、第２のアンテナを配置用枠と外枠によって形成された空間に対して引出及び収納自在としたので、第２のアンテナを引き出すことにより該第２のアンテナを上方に位置させることができ、受信感度の向上を図ることができる。
【発明を実施するための最良の形態】
【００１６】
以下に、本発明を実施するための最良の形態を添付図面に従って説明する。
【００１７】
以下に示した最良の形態は、本発明電子機器を情報処理装置としてのパーソナルコンピューターに適用したものである。
【００１８】
以下の説明にあっては、使用者がパーソナルコンピューターの表示画面を視認している状態において、使用者から見た方向で前後上下左右の方向を示すものとする。従って、使用者側を前方とする。尚、以下に示す前後上下左右の方向は説明の便宜上のものであり、本発明の実施に関しては、これらの方向に限定されることはない。
【００１９】
電子機器（パーソナルコンピューター）１は、装置本体部２の後端部にヒンジ部３、３を介して表示部４が回動自在に支持されて成る（図１及び図２参照）。
【００２０】
装置本体部２は筐体５の内部に図示しない制御回路基板（マザーボード）を有し、筐体５は上ケース６と下ケース７が上下で結合されて成る。
【００２１】
上ケース６は、図３に示すように、前側に位置されたパームレスト部８と該パームレスト部８の後側に連続したキー配置部９とを有している。キー配置部９の後端に後方へ突出されたヒンジ用突部１０、１０が左右に離隔して設けられている。
【００２２】
パームレスト部８は横長の矩形の略平板状に形成され、パームレスト部８の略中央部にはポインティングデバイス１１とクリック釦１２、１２、１２が配置されている。ポインティングデバイス１１はタッチセンサー型の操作部であり、クリック釦１２、１２、１２としては左釦、中釦及び右釦が設けられている。
【００２３】
キー配置部９は浅い凹状に形成されている。キー配置部９には、左右両端部を除く部分に複数の挿通孔９ａ、９ａ、・・・が形成され、左右両端部にそれぞれ前後に離隔して挿入孔９ｂ、９ｂ、・・・が形成されている。キー配置部９の挿通孔９ａ、９ａ、・・・の開口縁部には、例えば、後方へ突出された舌片状の結合用係止部９ｃ、９ｃ、・・・がそれぞれ設けられている。キー配置部９の挿入孔９ｂ、９ｂ、・・・の開口縁部には、例えば、後方へ突出された舌片状の結合用係止部９ｄ、９ｄ、・・・がそれぞれ設けられている。
【００２４】
キー配置部９上にはキーボード１１が配置されて結合される。キーボード１１は配置ベース１４と該配置ベース１４上に配置された複数の操作キー１５、１５、・・・と配置ベース１４に固定されるキーボードカバー１６とを有している。
【００２５】
配置ベース１４は受け板１７と該受け板１７上に形成された図示しない回路基板と該回路基板を上方から覆う保護シート１８とを有している。
【００２６】
受け板１７は、例えば、アルミニウム等の金属材料によって形成されている。受け板１７の下面には下方へ突出された複数の係止部１９、１９、・・・が設けられている（図４参照）。係止部１９、１９、・・・は、受け板１７の各一部が下方へ打ち出されることにより形成され、例えば、図５及び図６に示すように、アーチ状又は袋状に形成され、それぞれ前方に開口された開口部１９ａ、１９ａ、・・・を有している。
【００２７】
操作キー１５、１５、・・・は、それぞれ配置ベース１４上に設けられた図示しない昇降機構によって配置ベース１４に対して上下動可能とされている。操作キー１５が下方へ押圧操作されると、操作に応じた操作信号が受け板１７上に形成された回路基板によって生成される。
【００２８】
キーボードカバー１６の外形は配置ベース１４の外形より一回り大きくされている（図３参照）。キーボードカバー１６にはそれぞれ操作キー１５、１５、・・・に対応した孔１６ａ、１６ａ、・・・が形成されている。キーボードカバー１６の左右両端部には、図７に示すように、それぞれ係止部２０、２０、・・・が設けられ、該係止部２０、２０、・・・にはそれぞれ前方及び側方に開口された開口部２０ａ、２０ａ、・・・が形成されている。
【００２９】
キーボードカバー１６は、例えば、溶着により配置ベース１４に固定される。キーボードカバー１６が配置ベース１４に固定された状態においては、孔１６ａ、１６ａ、・・・からそれぞれ操作キー１５、１５、・・・が上方へ突出されると共にキーボードカバー１６の外周部が配置ベース１４の外側に位置される。従って、キーボードカバー１６の係止部２０、２０、・・・は配置ベース１４の外側に位置される。
【００３０】
キーボード１３は以下のようにして筐体５の上ケース６に結合される（図８乃至図１１参照）。
【００３１】
先ず、キーボード１３が上ケース６のキー配置部９に重ねられ、図８及び図９に示すように、配置ベース１４の係止部１９、１９、・・・がそれぞれキー配置部９の挿通孔９ａ、９ａ、・・・から下方へ突出されると共にキーボードカバー１６の係止部２０、２０、・・・がそれぞれキー配置部９の挿入孔９ｂ、９ｂ、・・・から下方へ突出される。
【００３２】
次いで、キーボード１３を上ケース６に対して前方へスライドさせると、図１０及び図１１に示すように、係止部１９、１９、・・・の開口部１９ａ、１９ａ、・・・にそれぞれ結合用係止部９ｃ、９ｃ、・・・が挿入されて係止部１９、１９、・・・が結合用係止部９ｃ、９ｃ、・・・に係止されると共に係止部２０、２０、・・・の開口部２０ａ、２０ａ、・・・にそれぞれ結合用係止部９ｄ、９ｄ、・・・が挿入されて係止部２０、２０、・・・が結合用係止部９ｄ、９ｄ、・・・に係止され、キーボード１３が上ケース６に結合される。
【００３３】
上記したように、電子機器１にあっては、キーボード１３の外周部及び外周部以外の部分に設けられた係止部１９、１９、・・・、２０、２０、・・・が係止されてキーボード１３が筐体５に結合されるため、キーボード１３の筐体５に対する強固な結合状態を確保することができ、キーボード１３が上ケース６から浮いた状態となることがなく、操作キー１５、１５、・・・を押圧操作したときの良好な操作感を確保することができる。
【００３４】
また、キーボード１３の筐体５への結合を、係止部１９、１９、・・・、２０、２０、・・・の結合用係止部９ｃ、９ｃ、・・・、９ｄ、９ｄ、・・・への係止のみにより行っており、キーボード１３をネジ止めにより筐体５に結合しないため、筐体５からのキーボード１３の分解作業が簡単であり、メンテナンス性の向上を図ることができる。
【００３５】
さらに、キーボード１３の筐体５への結合は、キーボード１３をキー配置部９に重ねてスライドさせることにより行うことができるため、キーボード１３の筐体５への結合作業が簡単であり、電子機器１の組立作業における作業性の向上を図ることができる。
【００３６】
加えて、キーボード１３には配置ベース１４に固定されたキーボードカバー１６が設けられているため、キーボード１３及び装置本体部２の剛性を高めることができる。
【００３７】
筐体５の下ケース７には後面から後方へ突出されたヒンジ用突部２１、２１が左右に離隔して設けられている（図１２及び図１３参照）。下ケース７は上ケース６に取り付けられ、該上ケース６のヒンジ用突部１０、１０と下ケース７のヒンジ用突部２１、２１とがそれぞれ上下で結合されて支持突部２２、２２が構成される。
【００３８】
筐体５の後面には後方及び下方に開口されたバッテリー配置用凹部５ａが形成されている。バッテリー配置用凹部５ａにはコネクター２３が設けられている（図１３参照）。筐体５の配置凹部５ａにおける左右両側面には、それぞれ取付片２４、２４が設けられている（図１２及び図１３参照）。
【００３９】
支持突部２２、２２はそれぞれバッテリー配置用凹部５ａの左右に位置されている（図１２乃至図１４参照）。支持突部２２は、図１５に示すように、後方へ突出された基部２５と該基部２５の後端に連続する挿入部２６と該挿入部２６の外側の側面に設けられたフランジ状の張出部２７とを有している。
【００４０】
挿入部２６は後方へ行くに従って上下の幅が小さくなるように形成され、上端部２８が基部２５の上面より上方に位置され、上端部２８の上面２８ａが上方へ凸の略円弧状に形成されている。
【００４１】
装置本体部２に回動自在に支持された表示部４の下端部における左右両端部からは、被支持突部２９、２９が突出されている（図１、図２及び図１２参照）。被支持突部２９、２９はそれぞれ支持突部２２、２２に回動自在に支持される。被支持突部２９、２９が支持突部２２、２２に支持された状態においては、被支持突部２９、２９によってそれぞれ支持突部２２、２２の張出部２７、２７が外側から閉塞される（図１２乃至図１４参照）。
【００４２】
支持突部２２、２２と被支持突部２９、２９によってヒンジ部３、３が構成され（図１及び図２参照）、該ヒンジ部３、３を介して表示部４が装置本体部２に回動自在に支持される。
【００４３】
装置本体部２にはバッテリー３０が装着され、該バッテリー３０の一部がヒンジ部３、３間に配置される（図２及び図１４参照）。
【００４４】
バッテリー３０は、図１４及び図１６に示すように、断面形状が略円筒状に形成された横長の第１のセル配置部３１と、下側半分の断面形状が略半円筒状に形成された第２のセル配置部３２と、図示しない充電用の制御回路基板が配置された基板配置部３３とを有している。第２のセル配置部３２は第１のセル配置部３１の前側に連続して設けられ、下側半分が第１のセル配置部３１より下方に位置されている。基板配置部３３は第２のセル配置部３２の前側に連続して設けられている。
【００４５】
第１のセル配置部３１と第２のセル配置部３２はともに左右方向における長さが略同じに形成され、それぞれ内部に三つずつの図示しない充電電池（セル）が収納されている。
【００４６】
第１のセル配置部３１の左右両端部にはそれぞれカバー部３４、３４が一体に設けられている。カバー部３４は外面が第１のセル配置部３１に連続した円弧状に形成され、内側に前方に開口された挿入溝３４ａを有している。挿入溝３４ａの形状は支持突部２２の挿入部２５の形状と略同じに形成されている。
【００４７】
カバー部３４、３４の外径は、表示部４から後方へ突出された被支持突部２９、２９の外径と同じ大きさに形成されている。
【００４８】
第２のセル配置部３２の下面には、例えば、ゴム等の柔軟な材料によって形成された受け突部３５、３５が左右に離隔して設けられている。
【００４９】
基板配置部３３の前端部には左右に離隔して少なくとも前方に開口された切欠部３３ａ、３３ａが形成され、該切欠部３３ａ、３３ａにそれぞれ係合爪３６、３６が配置されている。基板配置部３３の下面には左右に離隔してリリースレバー３７、３７がスライド自在に設けられている（図１７参照）。リリースレバー３７、３７を一方にスライドさせることにより、切欠部３３ａ、３３ａに位置されていた係合爪３６、３６が基板配置部３３の内部に引き込まれる。係合爪３６、３６は切欠部３３ａ、３３ａに引き出される方向へ図示しないバネ部材によって付勢されている。
【００５０】
基板配置部３３には前方へ突出されたコネクター部３３ｂが設けられている（図１４参照）。
【００５１】
以下に、バッテリー３０の装置本体部２に対する装着の手順について説明する（図１８乃至図２３参照）。
【００５２】
先ず、カバー部３４、３４の開口方向が前斜め下方となるようにバッテリー３０を傾ける（図１８参照）。
【００５３】
次に、バッテリー３０を前斜め下方へ移動して挿入溝３４ａ、３４ａに支持突部２２、２２を挿入する（図１９参照）。
【００５４】
次いで、バッテリー３０をカバー部３４、３４の開口方向が前方となるように回転する（図２０及び図２１参照）。このときバッテリー３０を把持していた手が離れたとしても、支持突部２２、２２がそれぞれカバー部３４、３４の挿入溝３４ａ、３４ａに挿入されているため、バッテリー３０の支持突部２２、２２からの脱落及び落下を防止することができる。特に、支持突部２２、２２における上端部２８、２８の上面２８ａ、２８ａが上方へ凸の略円弧状に形成されているため、カバー部３４、３４がそれぞれ上端部２８、２８に保持され易く、バッテリー３０の支持突部２２、２２からの脱落を回避することができる。
【００５５】
最後に、バッテリー３０を前方へ移動させることにより装置本体部２に対する装着が完了する（図２２参照）。バッテリー３０が装置本体部２に装着されるときには、係合爪３６、３６がそれぞれ筐体５の取付片２４、２４と接触され（図２３参照）、バッテリー３０の前方への移動により係合爪３６、３６がバネ部材の付勢力に抗して移動され（図２４参照）、バッテリー３０のさらなる前方への移動により係合爪３６、３６が取付片２４、２４を乗り越えたときにバネ部材の付勢力によって元の位置に戻り取付片２４、２４と係合されてバッテリー３０が装置本体部２にロックされる（図２５参照）。
【００５６】
バッテリー３０が装置本体部２に装着された状態においては、コネクター部３３ｂが装置本体部２に設けられたコネクター２３に接続され、カバー部３４、３４が表示部４から後方へ突出された被支持突部２９、２９の内側に近接した状態で位置される。従って、支持突部２２、２２のうち被支持突部２９、２９によって閉塞されなかった部分がカバー部３４、３４によって外周側から閉塞される。
【００５７】
バッテリー３０が装置本体部２に装着された状態において、図２６に示すように、電子機器１を机等の載置面１００に載置すると、電子機器１は、装置本体部２の前端部の下面と第１のセル配置部３１より下方に突出された第２のセル配置部３２に設けられた受け突部３５、３５とによって載置面１００上で支えられ、装置本体部２が前下がりの状態で傾斜される。従って、使用者は、操作キー１５、１５、・・・に対する操作を行い易く、操作性の向上を図ることができる。
【００５８】
このようにバッテリー３０において、第２のセル配置部３２を第１のセル配置部３１より下方へ突出させて第２のセル配置部３２を用いて電子機器１を支えることにより、装置本体部２を前下がりに傾斜した状態に保持する専用の手段を必要とせず、部品点数の削減を行った上で電子機器１の使い勝手の向上を図ることができる。
【００５９】
バッテリー３０の装置本体部２からの取り外しは、リリースレバー３７、３７をスライドさせて係合爪３６、３６と取付片２４、２４の係合を解除し、バッテリー３０を装置本体部２に対して後方側へ引き出すことにより行うことができる。リリースレバー３７、３７はバッテリー３０の下面に設けられているが、上記したように、電子機器１が机等の載置面１００に載置された状態においては装置本体部２が前下がりの状態で傾斜されており、第２のセル配置部３２の前側において載置面１００と装置本体部２との間に隙間が形成される。従って、使用者は、装置本体部２の左右から両手をバッテリー３０の基板配置部３３の下側に差し込んで手探りでリリースレバー３７、３７をスライドさせることができるため、電子機器１を載置面１００に載置したままの状態でバッテリー３０の装置本体部２からの取り外しが可能となり、バッテリー３０の装置本体部２からの取り外しを容易に行うことができる。
【００６０】
上記したように、電子機器１にあっては、装置本体部２にバッテリー３０が装着された状態において一対のカバー部３４、３４がそれぞれ一対の被支持突部２９、２９に隣接されカバー部３４、３４によって支持突部２２、２２が閉塞されるため、支持突部２２、２２を被支持突部２９、２９及びバッテリー３０の形状及び大きさに合わせて形成する必要がなく、電子機器１の設計の自由度の向上を図ることができる。
【００６１】
また、バッテリー３０のカバー部３４、３４と被支持突部２９、２９の間にのみ隙間が形成されるため、隙間からの塵埃の侵入が低減され、装置本体部２に対するバッテリー３０の良好な接続状態を確保することができる。
【００６２】
表示部４は、図２７及び図２８に示すように、表示パネル３８と該表示パネル３８が配置されたパネル用筐体３９と該パネル用筐体３９の外周に取り付けられた配置用枠４０と該配置用枠４０を前方から覆う外枠４１とを有している。
【００６３】
表示パネル３８としては、例えば、液晶パネルが用いられ、表示パネル３８の下端部には横長の制御基板４２が取り付けられている。制御基板４２は表示パネル３８の駆動制御を行うための基板である。
【００６４】
パネル用筐体３９は、例えば、カーボン材料によって形成されたベース板部４３と該ベース板部４３の外周部に設けられたフレーム部４４とが、例えば、インサート成形によって一体に形成されて成る（図２９参照）。
【００６５】
ベース板部４３は表示パネル３８より一回り大きい矩形の平板状に形成され、ベース板部４３の前面に表示パネル３８が配置される。ベース板部４３はカーボン材料によって形成されることにより高い剛性が確保されている。
【００６６】
フレーム部４４は基材を樹脂としてカーボン繊維が含有された材料によって形成され、上部４５、下部４６、左側部４７及び右側部４８によって枠状に形成されて成る。
【００６７】
フレーム部４４には表示パネル３８を位置決めして配置するための立壁４４ａ、４４ａ、・・・が設けられている。立壁４４ａの一部は他の部分より高さが低くされた結合用係合部４９、４９、・・・として設けられている。
【００６８】
立壁４４ａ、４４ａ、・・・の内側には表示パネル３８が配置され、該表示パネル３８がパネル用筐体３９に取り付けられる。
【００６９】
フレーム部４４の所定の位置には前後に貫通された位置決め孔４４ｂ、４４ｂ、・・・が形成されている。
【００７０】
フレーム部４４の上部４５、左側部４７及び右側部４８には、これらの外周部にそれぞれ結合用係合部５０、５０、・・・が設けられている。
【００７１】
上部４５には横長の端子取付部４５ａが設けられている。上部４５の左右方向における略中央部はカメラユニット取付部４５ｂとして設けられている。
【００７２】
左側部４７には上下に離隔して縦長の端子取付部４７ａ、４７ａが設けられている。
【００７３】
下部４６の左右両端部からは下方へ突出されたヒンジ用突部５１、５１が設けられている。ヒンジ用突部５１、５１はそれぞれ被支持突部２９、２９の内部に配置され、図示しない回動機構を介して支持突部２２、２２に回動可能に連結される。
【００７４】
配置用枠４０は横長の上面部５２と該上面部５２の左右両端部からそれぞれ下方へ突出された左側面部５３及び右側面部５４とが樹脂材料によって一体に形成されて成る。
【００７５】
配置用枠４０は前後方向を向く板状に形成された平板部５５と該平板部５５の外周部から前方へ突出された立壁部５６とを有している。配置用枠４０の所定の位置には結合用係合部４０ａ、４０ａ、・・・が設けられている。
【００７６】
平板部５５には前方へ突出された複数の位置決めピン５５ａ、５５ａ、・・・が設けられている。
【００７７】
立壁部５６の内面には係合部５６ａ、５６ａ、・・・が設けられている。係合部５６ａ、５６ａ、・・・の一部は結合用係合部４０ａ、４０ａ、・・・と兼用されている。従って、構造の簡素化を図ることができる。
【００７８】
配置用枠４０は、位置決めピン５５ａ、５５ａ、・・・がそれぞれパネル用筐体３９の位置決め孔４４ｂ、４４ｂ、・・・に後方から挿入されて位置決めされ、結合用係合部４０ａ、４０ａ、・・・がそれぞれパネル用筐体３９の結合用係合部４９、４９、・・・、５０、５０、・・・に係合されてパネル用筐体３９に結合される。従って、配置用枠４０とパネル用筐体３９の結合は、結合用係合部４０ａ、４０ａ、・・・と結合用係合部４９、４９、・・・、５０、５０、・・・の係合のみにより行われる。
【００７９】
パネル用筐体３９における上部４５のカメラユニット取付部４５ｂには、カメラユニット５７が取り付けられる（図２８及び図３１参照）。カメラユニット５７はカメラ本体５７ａと制御用基板５７ｂとを有している。カメラユニット５７からは接続線５７ｃが導出され、該接続線５７ｃはパネル用筐体３９の上部４５から左側部４７を経て被支持突部２９の内部及び支持突部２２の内部を挿通されて装置本体部２の内部に配置された制御回路基板（マザーボード）に接続される。
【００８０】
パネル用筐体３９と配置用枠４０が結合された状態において、第１のアンテナ５８、５８、５８と第２のアンテナ５９が配置される（図３１及び図３２参照）。第１のアンテナ５８、５８、５８はそれぞれ、例えば、ワイヤレスラン（ＷＬＡＮ）用のアンテナであり、第２のアンテナ５９は、例えば、１セグメント放送用のアンテナである。
【００８１】
第１のアンテナ５８、５８、５８はそれぞれ配置用枠４０の上面部５２における左端寄りの位置と左側面部５３における上方側の位置に上下に離隔して配置される。第１のアンテナ５８、５８、５８にはそれぞれ接地用の金属端子５８ａ、５８ａ、５８ａが設けられ、該金属端子５８ａ、５８ａ、５８ａはそれぞれパネル用筐体３９の端子取付部４５ａ、４７ａ、４７ａに取り付けられて接地される。
【００８２】
第１のアンテナ５８、５８、５８からはそれぞれ接続ケーブル５８ｂ、５８ｂ、５８ｂが導出され、該接続ケーブル５８ｂ、５８ｂ、５８ｂはパネル用筐体３９の上部４５又は左側部４７から被支持突部２９の内部及び支持突部２２の内部を挿通されて装置本体部２の内部に配置された制御回路基板（マザーボード）に接続される。
【００８３】
第２のアンテナ５９は配置用枠４０の右側面部５４における上方側の位置に配置される。第２のアンテナ５９には接地用の金属端子５９ａが設けられ、該金属端子５９ａはパネル用筐体３９に接続されて接地される。
【００８４】
第２のアンテナ５９からは接続ケーブル５９ｂが導出され、該接続ケーブル５９ｂはパネル用筐体３９の右側部４８から被支持突部２９の内部及び支持突部２２の内部を挿通されて装置本体部２の内部に配置された制御回路基板（マザーボード）に接続される。
【００８５】
第２のアンテナ５９はアンテナ軸５９ｃを有し、表示部４に対して引出及び収納自在に構成され、表示部４の内外で出し入れ可能とされている。
【００８６】
外枠４１は配置用枠４０に前方から取り付けられる。外枠４１は矩形の枠状に形成され、外枠４１の下端部における左右両端部にはそれぞれ下方へ突出されたヒンジ用突部６０、６０が設けられている。ヒンジ用突部６０、６０はそれぞれパネル用筐体３９に設けられたヒンジ用突部５１、５１に結合され、該ヒンジ用突部５１、５１とともに被支持突部２９、２９の内部に配置され、図示しない回動機構を介して支持突部２２、２２に回動可能に連結される。
【００８７】
外枠４１の後面には、図３３に示すように、周方向に離隔して複数の係合部４１ａ、４１ａ、・・・が設けられ、該係合部４１ａ、４１ａ、・・・は後方へ突出されている。
【００８８】
外枠４１は係合部４１ａ、４１ａ、・・・がそれぞれ係合部５６ａ、５６ａ、・・・に係合されて配置用枠４０に結合される。従って、配置用枠４０と外枠４１の結合は、係合部４１ａ、４１ａ、・・・と係合部５６ａ、５６ａ、・・・の係合のみにより行われる。
【００８９】
外枠４１が配置用枠４０に結合された状態においては、配置用枠４０の全体と表示パネル３８の外周部とが前方から覆われる。
【００９０】
上記したように、電子機器１にあっては、非金属性の材料によって形成された配置用枠４０の上面部５２と左側面部５３に第１のアンテナ５８、５８、５８を配置し、右側面部５４に第２のアンテナ５９を配置している。
【００９１】
従って、通信方式の異なる第１のアンテナ５８、５８、５８と第２のアンテナ５９を配置するための十分なスペースを確保した上で通信性能の向上を図ることができる。特に、上面部５２と左側面部５３に第１のアンテナ５８、５８、５８を配置することにより、各第１のアンテナ５８、５８、５８において必要とされる強さの信号が受信されて感度の向上が図られ、通信性能を高めることが可能となる。
【００９２】
また、第１のアンテナ５８、５８、５８と第２のアンテナ５９を上方側に配置することにより、第１のアンテナ５８、５８、５８と第２のアンテナ５９が、受信する電波を遮蔽するおそれのある机（載置面１００）や装置本体部２から離隔して位置されるため、受信感度の向上を図ることができ、また、装置本体部２から発するおそれのある不要なノイズを受信する可能性が小さくなり、良好な通信状態を確保することができる。
【００９３】
さらに、配置用枠４０と外枠４１の結合が、係合部４１ａ、４１ａ、・・・と係合部５６ａ、５６ａ、・・・の係合のみにより行われるため、配置用枠４０と外枠４１の結合に際して受信感度を低下させるおそれのある金属製の取付ネジが使用されず、第１のアンテナ５８、５８、５８及び第２のアンテナ５９の受信感度の向上を図ることができる。
【００９４】
さらにまた、配置用枠４０とパネル用筐体３９の結合も、結合用係合部４０ａ、４０ａ、・・・と結合用係合部４９、４９、・・・、５０、５０、・・・の係合のみにより行われるため、配置用枠４０とパネル用筐体３９の結合に際して受信感度を低下させるおそれのある金属製の取付ネジが使用されず、第１のアンテナ５８、５８、５８及び第２のアンテナ５９の受信感度の向上を図ることができる。
【００９５】
加えて、第２のアンテナ５９を引出及び収納自在として表示部４の内外で出し入れ可能としたので、第２のアンテナ５９を引き出すことにより該第２のアンテナ５９を上方に位置させることができ、受信感度の向上を図ることができる。
【００９６】
尚、上記には、第２のアンテナ５９を、配置用枠４０の右側面部５４に配置した例を示したが、第２のアンテナ５９を配置用枠４０の上面部５２に配置することも可能である。
【００９７】
また、上記には、第２のアンテナ５９として１セグメント放送用のアンテナを配置した例を示したが、例えば、図３４及び図３５に示すように、第２のアンテナ５９ＡとしてＷＡＮ（広域ネットワーク：Wide Area Network）用のアンテナを配置することも可能である。この場合には、二つの第２のアンテナ５９Ａ、５９Ａを配置する必要が生じる可能性があるが、二つの第２のアンテナ５９Ａ、５９Ａが必要とされる場合には該第２のアンテナ５９Ａ、５９Ａを上面部５２と右側面部５４にそれぞれ配置することが可能である。
【００９８】
第２のアンテナ５９Ａ、５９Ａを上面部５２と右側面部５４にそれぞれ配置することにより、各第２のアンテナ５９Ａ、５９Ａにおいて必要とされる強さの信号が受信されて感度の向上が図られ、通信性能を高めることが可能となる。
【００９９】
上記には、第１のアンテナ５８としてワイヤレスラン用のアンテナを用い、第２のアンテナ５９、５９Ａとして１セグメント用又は広域ネットワーク用のアンテナを用いた例を示したが、第１のアンテナ及び第２のアンテナはこれらの通信方式のアンテナに限られることはなく、他の通信方式の任意のアンテナを用いることができる。
【０１００】
また、上記には、通信方式が異なる２種類のアンテナが配置された例を示したが、アンテナの種類は２種類に限られることはなく、通信方式が異なる３種類以上のアンテナを配置することも可能である。
【０１０１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０２】
【図１】図２乃至図３５と共に本発明の最良の形態を示すものであり、本図は、表示部が開放された状態を示す電子機器の斜視図である。
【図２】表示部が閉塞された状態を示す電子機器の斜視図である。
【図３】キーボードと筐体の上ケースとを示す分解斜視図である。
【図４】受け板の底面図である。
【図５】受け板に設けられた係止部を示す拡大斜視図である。
【図６】受け板に設けられた係止部の別の形状を示す拡大斜視図である。
【図７】キーボードカバーの斜視図である。
【図８】図９乃至図１１と共にキーボードの上ケースへの結合の手順を示すものであり、本図は、キーボードが上ケースのキー配置部に重ねられ係止部が挿通孔から突出された状態を示す概略拡大断面図である。
【図９】キーボードが上ケースのキー配置部に重ねられ受け板の係止部が挿入孔から突出された状態を示す概略拡大断面図である。
【図１０】キーボードが上ケースに対してスライドされ、キーボードカバーの係止部が結合用係止部に係止された状態を示す拡大断面図である。
【図１１】キーボードが上ケースに対してスライドされ、左右両端部に設けられた係止部が結合用係止部に係止された状態を示す拡大断面図である。
【図１２】表示部が閉塞された状態を示す電子機器の底面図である。
【図１３】表示部が閉塞された状態を示す電子機器の背面図である。
【図１４】バッテリーが装置本体部から取り外された状態を示す斜視図である。
【図１５】支持突部の拡大斜視図である。
【図１６】バッテリーの拡大側面図である。
【図１７】バッテリーの底面図である。
【図１８】図１９乃至図２５と共にバッテリーの装置本体部に対する装着の手順について示すものであり、本図は、カバー部を斜めに傾けた状態を示す概略断面図である。
【図１９】バッテリーを前斜め下方へ移動して挿入溝に支持突部を挿入した状態を示す概略断面図である。
【図２０】バッテリーを回転している途中の状態を示す概略断面図である。
【図２１】バッテリーを回転した状態を示す概略断面図である。
【図２２】バッテリーを装置本体部に装着した状態を示す概略断面図である。
【図２３】図２４及び図２５と共にバッテリーが装置本体部にロックされるときの順序を示すものであり、本図は、係合爪が取付片と接触された状態を示す概略拡大平面図である。
【図２４】係合爪がバネ部材の付勢力に抗して移動された状態を示す概略拡大平面図である。
【図２５】係合爪が取付片と係合されてバッテリーが装置本体部にロックされた状態を示す概略拡大平面図である。
【図２６】電子機器の側面図である。
【図２７】表示部の分解斜視図である。
【図２８】外枠を分離した状態で示す表示部の斜視図である。
【図２９】パネル用筐体の斜視図である。
【図３０】配置用枠の斜視図である。
【図３１】パネル用筐体と配置用枠に各部が取り付けられた状態を示す斜視図である。
【図３２】配置用枠に第１のアンテナと第２のアンテナが配置された状態を示す概念図である。
【図３３】外枠の斜視図である。
【図３４】パネル用筐体と配置用枠に別の種類の第２のアンテナを含む各部が取り付けられた状態を示す斜視図である。
【図３５】配置用枠に第１のアンテナと別の種類の第２のアンテナが配置された状態を示す概念図である。
【符号の説明】
【０１０３】
１…電子機器、３８…表示パネル、３９…パネル用筐体、４０…配置用枠、４０ａ…結合用係合部、４１…外枠、４１ａ…係合部、４９…結合用係合部、５０…結合用係合部、５２…上面部、５３…左側面部、５４…右側面部、５６ａ…係合部、５８…第１のアンテナ、５９…第２のアンテナ、５９Ａ…第２のアンテナ
【図１】
2008288801.tif 000003
【図２】
2008288801.tif 000004
【図３】
2008288801.tif 000005
【図４】
2008288801.tif 000006
【図５】
2008288801.tif 000007
【図６】
2008288801.tif 000008
【図７】
2008288801.tif 000009
【図８】
2008288801.tif 000010
【図９】
2008288801.tif 000011
【図１０】
2008288801.tif 000012
【図１１】
2008288801.tif 000013
【図１２】
2008288801.tif 000014
【図１３】
2008288801.tif 000015
【図１４】
2008288801.tif 000016
【図１５】
2008288801.tif 000017
【図１６】
2008288801.tif 000018
【図１７】
2008288801.tif 000019
【図１８】
2008288801.tif 000020
【図１９】
2008288801.tif 000021
【図２０】
2008288801.tif 000022
【図２１】
2008288801.tif 000023
【図２２】
2008288801.tif 000024
【図２３】
2008288801.tif 000025
【図２４】
2008288801.tif 000026
【図２５】
2008288801.tif 000027
【図２６】
2008288801.tif 000028
【図２７】
2008288801.tif 000029
【図２８】
2008288801.tif 000030
【図２９】
2008288801.tif 000031
【図３０】
2008288801.tif 000032
【図３１】
2008288801.tif 000033
【図３２】
2008288801.tif 000034
【図３３】
2008288801.tif 000035
【図３４】
2008288801.tif 000036
【図３５】
2008288801.tif 000037